(57)【要約】【課題】整備を容易に行うことができるガスメータを提供する。【解決手段】ガスメータ１は、計測対象のガスが流入する流入口１２及び流入したガスを排出する排出口１３を有するとともに前面に開口が形成された上ケース体１０と、流入したガスの流量を計測するための装置が収容された下ケース体２０と、前記開口を覆うように上ケース体１０に取り付けられた前面カバー４０と、上ケース体１０と下ケース体２０とを締めつけて連結するねじ３６ａ〜３６ｃと、を備える。上ケース体１０には、前面カバー４０と当接する取付面３１が形成されており、取付面３１がねじ３６ａ〜３６ｃの進行方向に対して傾斜していることで、ねじ３６ａ〜３６ｃを締結するための工具の挿入スペースが確保されている。【選択図】図５
0003211934.tif 000002
【実用新案登録請求の範囲】
【請求項１】
計測対象のガスが流入する流入口と、流入したガスを排出する排出口とを有し、前面に開口が形成された上ケース体と、
流入したガスの流量を計測するための装置が収容された下ケース体と、
前記開口を覆うように前記上ケース体に取り付けられたカバー体と、
前記上ケース体と前記下ケース体とを締めつけて連結する締結手段と、を備え、
前記上ケース体には、前記カバー体と当接する取付面が形成されており、
前記取付面が前記締結手段の進行方向に対して傾斜していることで、前記締結手段を締結するための工具の挿入スペースが確保されている、
ことを特徴とするガスメータ。
【請求項２】
前記締結手段は、少なくとも前列と後列とに配列されており、
前記上ケース体は、左側部を構成する左壁と右側部を構成する右壁とを有するとともに、前記左壁と前記右壁とによって一部が区画された、前記開口から取り付けられた基板を収容する収容室を有し、
前列に配列された全ての前記締結手段は、前記左壁と前記右壁との間に配置されている、
ことを特徴とする請求項１に記載のガスメータ。
【請求項３】
前記上ケース体には、前記基板を取り付けるためのねじ穴と、前記基板とは異なる大きさの基板を取り付ける際に用いられる該ねじ穴とは異なるねじ穴とが形成されている、
ことを特徴とする請求項２に記載のガスメータ。
【請求項４】
前記取付面は、全領域で同一の角度で傾斜している、
ことを特徴とする請求項１から３のいずれか１項に記載のガスメータ。
【請求項５】
前記カバー体は、後部に形成された傾斜面を前記上ケース体の前記取付面に当接させた状態で取り付けられており、
前記傾斜面の傾斜角度は、前記カバー体の前面が前方を向く角度に設定されている、
ことを特徴とする請求項１から４のいずれか１項に記載のガスメータ。
【請求項６】
計測対象のガスが流入する流入口と、流入したガスを排出する排出口とを有し、前面に開口が形成されたガスメータ用ケースであって、
前記ガスメータ用ケースには、ガスの流量を計測するための装置が収容されたケース体に連結するための締結手段が挿入される挿入孔と、前記開口を覆うように前方から取り付けられるカバー体と当接する当接面と、が形成されており、
前記当接面が前記締結手段の前記挿入孔への挿入方向に対して傾斜していることで、前記締結手段を締結するための工具の挿入スペースが確保されている、
ことを特徴とするガスメータ用ケース。
【考案の詳細な説明】
【技術分野】
【０００１】
本考案は、ガスメータ、及びガスメータ用ケースに関する。
【背景技術】
【０００２】
ガスの流量を計測するガスメータは、定められた使用期限が経過する前に新たなガスメータと交換される。交換され撤去されたガスメータは、工場等に搬出され、点検、整備がされる。その際、消耗品である部品は、新たな部品と交換される。一方で、各部品を収容するケースは清掃されて、新たなガスメータのケースとして再利用される。
【０００３】
膜式ガスメータは、種々のガスメータの中で最も広く用いられているガスメータである。今後も多くの膜式ガスメータが使用期限を迎え、交換が必要となる。膜式ガスメータは、例えば、特許文献１に開示されている。この膜式ガスメータは、計量室を有する下ケース体と、各種電子部品を収納する上ケース体とを備えている。下ケース体と上ケース体とは、複数本のねじで接続されている。
【先行技術文献】
【特許文献】
【０００４】
【特許文献１】特開２０１７−４９０７４号公報
【考案の概要】
【考案が解決しようとする課題】
【０００５】
撤去したガスメータの整備に合わせて、新たな電子部品を搭載する場合がある。その際、交換後の電子部品や基板の寸法が大きくなり、既存のガスメータ用ケースに収容できないことがある。また、寸法が大きくなった電子部品や基板がねじ止めの際に障害となり、上ケース体と下ケース体とをねじで締結できないことがある。このように、ガスメータを整備する際に不具合が生じる場合がある。
【０００６】
本考案は、このような問題点に着目してなされたもので、整備を容易に行うことができるガスメータ、及びガスメータ用ケースを提供することを目的とする。
【課題を解決するための手段】
【０００７】
上記目的を達成するため、本考案のガスメータは、計測対象のガスが流入する流入口と、流入したガスを排出する排出口とを有し、前面に開口が形成された上ケース体と、流入したガスの流量を計測するための装置が収容された下ケース体と、前記開口を覆うように前記上ケース体に取り付けられたカバー体と、前記上ケース体と前記下ケース体とを締めつけて連結する締結手段と、を備え、前記上ケース体には、前記カバー体と当接する取付面が形成されており、前記取付面が前記締結手段の進行方向に対して傾斜していることで、前記締結手段を締結するための工具の挿入スペースが確保されている、ことを特徴とする。
【０００８】
前記締結手段は、少なくとも前列と後列とに配列されており、前記上ケース体は、左側部を構成する左壁と右側部を構成する右壁とを有するとともに、前記左壁と前記右壁とによって一部が区画された、前記開口から取り付けられた基板を収容する収容室を有し、前列に配列された全ての前記締結手段は、前記左壁と前記右壁との間に配置してもよい。
【０００９】
前記上ケース体には、前記基板を取り付けるためのねじ穴と、前記基板とは異なる大きさの基板を取り付ける際に用いられる該ねじ穴とは異なるねじ穴とが形成されてもよい。
【００１０】
前記取付面は、全領域で同一の角度で傾斜してもよい。
【００１１】
前記カバー体は、後部に形成された傾斜面を前記上ケース体の前記取付面に当接させた状態で取り付けられており、前記傾斜面の傾斜角度は、前記カバー体の前面が前方を向く角度に設定されてもよい。
【００１２】
上記目的を達成するため、本考案のガスメータ用ケースは、計測対象のガスが流入する流入口と、流入したガスを排出する排出口とを有し、前面に開口が形成されたガスメータ用ケースであって、前記ガスメータ用ケースには、ガスの流量を計測するための装置が収容されたケース体に連結するための締結手段が挿入される挿入孔と、前記開口を覆うように前方から取り付けられるカバー体と当接する当接面と、が形成されており、前記当接面が前記締結手段の前記挿入孔への挿入方向に対して傾斜していることで、前記締結手段を締結するための工具の挿入スペースが確保されている、ことを特徴とする。
【考案の効果】
【００１３】
本考案によれば、整備を容易に行うことができるガスメータ、及びガスメータ用ケースを提供することができる。
【図面の簡単な説明】
【００１４】
【図１】本考案の実施の形態に係るガスメータの正面図である。
【図２】本考案の実施の形態に係るガスメータの上ケース体と下ケース体とを分解した斜視図である。
【図３】図２中の矢印ＩＩＩからみた上ケース体の側面図である。
【図４】図２中の矢印ＩＶからみた上ケース体の上面図である。
【図５】本考案の実施の形態に係るガスメータの分解斜視図である。
【図６】図５中の矢印ＶＩからみたガスメータの分解側面図である。
【図７】本考案の実施の形態に係るガスメータの上ケース体に設けられたねじに工具を挿入している様子を示した説明図であり、（ａ）は斜視図、（ｂ）は（ａ）中の断面線Ｂ−Ｂで切断した断面図である。
【図８】本考案の実施の形態に係るガスメータの上ケース体の変形例（（ａ）、（ｂ））を説明するための斜視図である。
【図９】本考案の実施の形態に係るガスメータの上ケース体の変形例を説明するための図であり、（ａ）は斜視図、（ｂ）は（ａ）中の矢印ｂからみた側面図である。
【考案を実施するための形態】
【００１５】
以下、本考案に係るガスメータ、及びガスメータ用ケースを図面を参照しながら説明する。以下の説明において、理解を容易にするために、図１の手前方向をガスメータ１の前方、奥方向をガスメータ１の後方とし、ガスメータ１を前方から見たときの上下左右方向をそのままガスメータ１の上下左右方向として説明する。
【００１６】
（ガスメータの概略構成）
図１は、本考案の実施の形態に係るガスメータ１の正面図である。ガスメータ１は、被計測流体の一例である都市ガスの流量を計測する膜式ガスメータである。ガスメータ１は、ケース１００を備えるとともに、ケース１００内に後述する種々の機械部品及び電子部品等を備えている。ケース１００は、上ケース体１０と、上ケース体１０にねじ止めされた下ケース体２０と、上ケース体１０の前面を覆うカバー体からなる前面カバー４０と、前面カバー４０から露出した端子を覆う端子カバー５０と、から構成されている。上ケース体１０の上部には、ガスが流入する流入管２と、流入したガスを排出するための排出管３が接続されている。流入管２を通って流入したガスは、ガスメータ１により流量が計測され、排出管３を介して家庭等の供給先に供給される。計測されたガスの流量は積算され、その積算量は前面カバー４０に形成された表示窓４１を通して視認することができる。
【００１７】
（ガスメータの構造詳細）
次に、ガスメータ１の構造詳細について、図２〜図６を参照しながら説明する。図２は、本考案の実施の形態に係るガスメータの上ケース体１０と下ケース体２０とを分解した斜視図である。図３は、図２中の矢印ＩＩＩからみた上ケース体１０の側面図である。図４は、図２中の矢印ＩＶからみた上ケース体１０の上面図である。図５は、本考案の実施の形態に係るガスメータ１の分解斜視図である。図６は、図５中の矢印ＶＩからみたガスメータ１の分解側面図である。以下の説明では、まず、下ケース体２０と上ケース体１０の構造詳細を説明し、続いて、上ケース体１０に前方から取り付けられている基板６０、前面カバー４０、及び端子カバー５０の構造詳細について説明する。
【００１８】
下ケース体２０は、例えばアルミニウム合金を金型に充填して成型する、すなわちアルミダイカスト成型することにより製造される。下ケース体２０の内部には、種々の部品を収容するための収容室２１が形成されている。下ケース体２０の上端には、上ケース体１０の下端に接触するフランジ部２２が形成されている。フランジ部２２には、６つのねじ穴２３ａ〜２３ｆが形成されている。
【００１９】
下ケース体２０の構造及び下ケース体２０に収容される種々の部品は、従来の膜式ガスメータのものと同様である。各部品の図示は省略するが、下ケース体２０の収容室２１には、可動式の膜で区切られた２つの計量室が設けられている。図１に示す流入管２からのガスの流入と、図１に示す排出管３からのガスの排出とにより、２つの計量室に圧力差が生じて可動式の膜が動く。この可動式の膜の動きを検出して、ガスの流量を算出する。
【００２０】
上ケース体１０は、下ケース体２０と同様に、例えばアルミニウム合金を金型に充填して成型する、すなわちアルミダイカスト成型することにより製造される。上ケース体１０の上面には、上方に突出した流入口１２と排出口１３とが形成されている。流入口１２には図１に示す流入管２が接続され、排出口１３には図１に示す排出管３が接続される。また、上ケース体１０の上面には、ガスメータ１を持ち運びするための取っ手１４が設けられている。
【００２１】
上ケース体１０には、種々の電子部品を収容するための収容室１１が形成されている。なお、上ケース体１０の前側には、壁体が存在しておらず、収容室１１の前方は開放された状態にある。上ケース体１０の前方端部は、四角形の枠状をなし、前方から取り付けられる図１に示す前面カバー４０と当接する取付面（当接面）３１を形成する。取付面３１は、左壁３３、右壁３４、底板３７、及び上板７１の前方の端面がひと続きとなって形成されている。取付面３１には、前面カバー４０を取り付けるための４つのねじ穴３２が形成されている。上ケース体１０の収容室１１内には、ガス管から供給されるガスの圧力を検出する圧力センサ１５、地震発生時やガスの圧力に異常が発生した時にガスの供給を遮断する遮断弁１６が設けられている。また、収容室１１内には、図５に示す後述する基板６０を取り付けるための３つのねじ穴１７、１８、１９が形成されている。
【００２２】
図３に示すように、上ケース体１０が前面カバー４０と接触する取付面３１は、上下方向に対して角度θだけ傾いた傾斜面である。ここで上下方向は、ガスメータ１に対する方向であるとともに、上ケース体１０と下ケース体２０とを連結するねじ３６ａ〜３６ｆが締め付けられたり緩められたりする時の、ねじ３６ａ〜３６ｆの進行方向Ｙと一致する。さらに、進行方向Ｙは、上ケース体１０に形成された図２に示すねじ挿通孔３５ａ〜３５ｆに対するねじ３６ａ〜３６ｆの挿入方向と一致する。このように形成された取付面３１は、斜め上方を向いている。本実施形態では、角度θはおおよそ１０°に設定されている。このように、上ケース体１０の前方端面を、斜め上方を向いた傾斜面とすることで、上ケース体１０の側面を構成する図２に示す左壁３３及び右壁３４は、略台形状をなす。
【００２３】
図４に示すように、上ケース体１０の底板３７には、下ケース体２０に形成された図２に示す６つのねじ穴２３ａ〜２３ｆに対応する６つのねじ挿通孔３５ａ〜３５ｆが形成されている。このうち、前列に設けられたねじ挿通孔３５ａ〜３５ｃは、底板３７の前辺に沿って配列されており、左壁３３と右壁３４とに挟まれた領域に位置している。そのため、上ケース体１０に前面カバー４０を取り付けると、ねじ挿通孔３５ａ〜３５ｃは、外部から視認することができなくなる。
【００２４】
一方、後列に設けられたねじ挿通孔３５ｄ〜３５ｆは、底板３７の後辺に沿って配列されている。ねじ挿通孔３５ｄ〜３５ｆは、収容室１１を構築する壁体の外側に形成されている。そのため、後列のねじ挿通孔３５ｄ〜３５ｆは、外部から常に視認することができる。上ケース体１０のねじ挿通孔３５ｄ〜３５ｆの周囲には、窪み部５５や、角落とし部３８、３９が形成されている。これにより、ねじ締結用の工具を挿入するためのスペースが確保されている。
【００２５】
図５に示すように、基板６０は、各種情報を表示する液晶パネル６１、停止していたガスの供給を開始する復帰スイッチ６２、地震の揺れを感知する感震器６３、圧力センサ１５等の内部機器と接続するためのコネクタ６４、外部機器と接続するための接続端子６５、及び各種回路が設けられたプリント基板である。液晶パネル６１は、使用されたガスの積算量や、ガスを供給している状態にあるか否か等のガスメータの状態を表示する。基板６０には、１つのねじ挿通孔６０ａが形成されている。ねじ挿通孔６０ａに挿通されたねじ６６が上ケース体１０に形成されたねじ穴１８に締め付けられることで、基板６０が上ケース体１０に取り付けられる。
【００２６】
前面カバー４０は、上ケース体１０に前方から取り付けられ、内部に収容された各部品を保護するためのカバー体である。前面カバー４０には、液晶パネル６１の表示内容を視認させるための透明な表示窓４１と、接続端子６５用の開口４２とが形成されている。表示窓４１は、例えば透明な合成樹脂から構成され、液晶パネル６１の前方に配される。開口４２は、上ケース体１０に前面カバー４０が取り付けられた場合に、接続端子６５を前面に露出させるための開口である。接続端子６５が前面に露出することにより、外部機器と接続端子６５との接続を容易なものとしている。また、前面カバー４０には、地震の発生やガスの圧力に異常を検知したことにより停止したガスの供給を再開させるための復帰ボタン４３が設けられている。復帰ボタン４３と復帰スイッチ６２とは連動し、復帰ボタン４３が押下操作されることによりガスの供給が開始される。
【００２７】
図６に示すように、前面カバー４０は、上ケース体１０の取付面３１の傾斜に合わせて、上下方向に対して角度θだけ傾斜した傾斜面からなる取付面４６を有している。一方、前面カバー４０の前面は、図５に示す表示窓４１からの視認性や、外部機器と接続端子６５との接続性を考慮して、上下方向に平行な平面から構成されている。そのため、前面カバー４０は、上部から下部に向かうにつれて薄くなっている。言い換えれば、取付面４６は、前面カバー４０の前面を傾斜させずに前方を向かせる角度で傾斜した傾斜面である。前面カバー４０を上ケース体１０に取り付ける場合、図５に示すように、４つのねじ挿通孔４４に挿通されたねじ４５を、上ケース体１０に形成されたねじ穴３２に締め付ける。
【００２８】
図５に示すように、端子カバー５０は、ねじ５１により前面カバー４０にねじ止めされている。端子カバー５０は、前面カバー４０から露出した接続端子６５を覆い、保護する。
【００２９】
（使用期限を迎えたガスメータ１の交換、整備について）
次に、使用期限を迎えたガスメータ１を、交換し整備する手順について説明する。使用期限を迎えたガスメータ１を、図１に示す流入管２及び排出管３から取り外し、新たなガスメータと交換する。取り外したガスメータ１を、整備工場等に運搬し、整備する。撤去したガスメータ１を分解、点検し、交換が必要な部品は新たな部品と交換する。なお、ガスメータ１は、使用期限を迎えるまでに長い期間に亘って使用され続ける。その間に、様々な新たな技術が開発される。このように開発された技術を組み込んだ新たな部品を、必要に応じて整備中のガスメータ１に組み込む。一方、上ケース体１０及び下ケース体２０は、清掃した後に新たなガスメータのケース体として再利用する。部品の交換、及びケース体の清掃を終えると、ガスメータ１を組み立てる。分離した上ケース体１０と下ケース体２０とを一体化させる場合には、まず図２に示すように、対応するねじ穴２３ａ〜２３ｆとねじ挿通孔３５ａ〜３５ｆとを一致させる。そして、ねじ３６ａ〜３６ｆを挿入して、工具を用いて締め付ける。これにより、上ケース体１０と下ケース体２０とを一体化する。その後、図５に示す基板６０、前面カバー４０、及び端子カバー５０を取り付ける。このようにしてガスメータ１の整備を行う。整備したガスメータ１は、使用期限を迎えたガスメータと交換し、新たに設定された使用期限を迎えるまで使用する。
【００３０】
なお、ガスメータの整備に合わせて寸法の大きな新たな部品を組み込もうとしても、撤去したガスメータの上ケース体に十分な収容スペースが確保できない場合がある。この場合には、撤去したガスメータの下ケース体をそのまま利用する一方で、上ケース体を上記のガスメータ１の上ケース体１０と交換することができる。交換する上ケース体１０に新たな基板や部品を取り付けて、上ケース体１０と既存のガスメータの下ケース体と組み合わせる。このように交換される上ケース体１０のねじ挿通孔３５ａ〜３５ｆの配置は、撤去する既存のガスメータに形成されたものと同様の配置である必要がある。
【００３１】
（本考案を適用した実施の形態の効果について）
本考案を適用した実施の形態の効果を、図７を参照しつつ説明する。図７は、本考案の実施の形態に係るガスメータの上ケース体１０に設けられたねじに工具７２を挿入している様子を示した説明図であり、（ａ）は斜視図、（ｂ）は（ａ）中の断面線Ｂ−Ｂで切断した断面図である。なお、本考案の効果を理解しやすくするために、図７においては、簡略化した上ケース体１０を図示している。ガスメータ１において、取付面３１の一部を構成する左壁３３の前方端面３３ａを、ねじ３６ａよりも外側に位置させ、上ケース体１０の左端部に位置させている。同様に、取付面３１の一部を構成する右壁３４の前方端面３４ａを、ねじ３６ｃよりも外側に位置させ、上ケース体１０の右端部に位置させている。このようにして、左壁３３と右壁３４とを、前列に配置された３つのねじ３６ａ、３６ｂ、３６ｃを外側から挟み込む位置まで離間させている。これにより、基板６０等を収容する収容室１１の入口の横幅Ｗを、より大きくとることができる。このように、収容室１１の入口を大きくとれることにより、内部に収容する部品の取り付け、及び取り外し作業を容易に行え、ガスメータ１の整備を容易に行うことができる。
【００３２】
また、ガスメータ１の使用時に新たに開発された技術を組み込んだ部品が、整備中のガスメータ１に導入される場合がある。このとき、導入しようとする新たな部品や基板の寸法が交換前のものよりも大きくなり、整備中のガスメータに設置できなかったり、設置しづらかったりする場合があった。しかしながら、本考案に係るガスメータ１は、収容室１１の入口寸法を大きくとることができるため、寸法が大きくなった部品であったとしても取り付けやすい。
【００３３】
また、左壁３３の前方端面３３ａを上ケース体１０の左端部に、右壁３４の前方端面３４ａを上ケース体１０の右端部に寄せている。そのため、左壁３３及び右壁３４に切欠きや窪み等を形成しなくても、ねじ３６ａ、３６ｃとの干渉を防止することができる。これにより、上ケース体１０の構造を簡略化することができる。
【００３４】
また、図７（ｂ）に示すように、取付面３１を傾斜させることで、上板７１の前方端面７１ａを、底板３７の前方端面３７ａに対して、距離Ｌだけ後退させた位置に配置することができる。これにより、ねじ３６ａ〜３６ｃの上方から挿入されるねじ締結用の工具７２の挿入空間を確保することができる。これにより、工具７２を用いて、ねじ３６ａ〜３６ｃを締めたり緩めたりすることが容易に行うことができ、ガスメータ１の整備を容易に行うことができる。
【００３５】
また、上ケース体１０の取付面３１と、図６に示す前面カバー４０の取付面４６は、すべての領域で同一の傾斜角度θで傾斜している。そのため、前面カバー４０を上ケース体１０に取り付けた際の密着性を高めることができ、埃や水の進入を抑制することができる。
【００３６】
また、上ケース体１０には、基板６０を取り付けるためのねじ穴１８の他に、２つのねじ穴１７、１９が形成されている。これにより、整備の際に新たに取り付ける基板の寸法や重さを変更する場合であっても、ねじ止めするねじ穴の位置や箇所数を適切に設定することで、取り付けた基板を安定させることができる。例えば、寸法が大きく重い基板を取り付ける場合には、離れた位置にある２つのねじ穴１７、１９を用いてねじ止めしてもよいし、３つのねじ穴１７、１８、１９の全てを用いてねじ止めしてもよい。また、寸法や重量が中程度の基板を取り付ける場合には、適度に離間したねじ穴１８、１９を用いてねじ止めしてもよい。また、寸法が小さく軽い基板を取り付ける場合には、３つのねじ穴１７、１８、１９のうち、いずれか一つのねじ穴を用いてねじ止めしてもよい。
【００３７】
また、上ケース体１０のねじ挿通孔３５ａ〜３５ｆの配置を、撤去する既存のガスメータに形成されたものと同様の配置とすることにより、本考案に係る上ケース体１０と既存のガスメータの下ケース体とを組み合わせることができる。例えば、既存のガスメータの上ケース体に新たな基板や部品を取り付けられない場合や、取付作業に困難が生じる場合に、このような対応をとることができる。この場合、上ケース体１０に新たな基板や部品を取り付けて、上ケース体１０を既存のガスメータの下ケース体と組み合わせればよい。これにより、ガスメータ１の整備を容易に行うことができる。
【００３８】
（他の形態について）
この考案は、上記実施の形態に限定されず、様々な変形及び応用が可能である。上記の実施の形態として、膜式ガスメータを例示したが、他の形式のガスメータにも応用することができる。例えば、超音波式ガスメータにも適用することができる。また、家庭に供給するガスを計測するだけでなく、オフィスや工場等に供給される業務用ガスを計測するガスメータにも適用することができる。また、計測するガスも都市ガスに限定されず、プロパンガスを計測するガスメータであってもよい。
【００３９】
また、上ケース体に形成された取付面の傾斜角度θは、工具の挿入空間や締結作業をするための空間を確保するために、特に限定されるものではないが、例えば、５°以上、４５°未満に設定される。締結作業に用いられる工具としては、手動の工具や電動工具が想定される。
【００４０】
また、上ケース体と下ケース体とを接続する締結手段として、ねじを例に説明したが、例えば、六角ボルト等のボルト類を締結手段として採用してもよい。
【００４１】
また、ゴム製のパッキンを上ケース体１０と前面カバー４０との間に挟み込んで、水密性をさらに高めるようにしてもよい。
【００４２】
次に、ガスメータ、及びガスメータ用ケースの変形例について説明する。以下で説明するの変形例は、上ケース体の構成のみが上記形態の構成と異なっている。そのため、各図面においては、上ケース体のみを図示している。また、上ケース体の構成のうち、上記形態のものと異なる構成について、以下で説明するものとする。図８は、本考案の実施の形態に係るガスメータの上ケース体１１０、２１０の変形例（（ａ）、（ｂ））を説明するための斜視図である。また、図９は、本考案の実施の形態に係るガスメータの上ケース体３１０の変形例を説明するための図であり、（ａ）は斜視図、（ｂ）は（ａ）中の矢印ｂからみた側面図である。
【００４３】
（変形例１）
図８（ａ）に示す上ケース体１１０においては、前列左側のねじ１３６ａが左壁１３３よりも外側に位置し、前列右側のねじ１３６ｃが右壁１３４よりも外側に位置している点が上記形態の上ケース体１０と異なっている。左壁１３３及び右壁１３４は、ねじ１３６ａ、１３６ｃとの干渉を避けるように屈曲した形状を有している。これにより、ねじ１３６ａ、１３６ｃを締結する工具７２の挿入スペースが確保されている。また、上ケース体１１０の前方端面である取付面１３１は、上下方向に対して傾斜した傾斜面である。これにより、ねじ１３６ｂの上方に締結用の工具７２の挿入空間を確保することができる。これにより、工具７２を用いて、ねじ１３６ａ〜１３６ｃを締めたり緩めたりすることを容易に行うことができ、ガスメータ１の整備を容易に行うことができる。
【００４４】
（変形例２）
図８（ｂ）に示す上ケース体２１０は、上記形態の上ケース体１０と異なり、上ケース体２１０の取付面２３１は傾斜しておらず、前方を向いている。一方で、上ケース体２１０は、ねじ締結用の工具７２を内部に収容することが可能な高さを有している。このように、上ケース体２１０の高さを高くすることにより、上ケース体２１０内に挿入した工具７２を用いて、ねじ２３６ａ〜２３６ｃを締めつけたり緩めたりすることを容易に行うことができる。また、左壁２３３を上ケース体２１０の左側端部に位置させ、右壁２３４を上ケース体２１０の右側端部に位置させているため、各種部品を収容するための収容室の入口を大きくとることができる。これにより、ガスメータの整備を容易に行うことができる。
【００４５】
（変形例３）
図９（ａ）、（ｂ）に示すように、上ケース体３１０には、前方端部に階段状の段落ち部３７０が形成されている。ねじ３３６ａ〜３３６ｃは、段落ちした底板３７１に配置されている。そのため、ねじ３３６ａ〜３３６ｃの上方には、工具７２を挿入するための空間が形成されている。これにより、工具７２を用いて、ねじ３３６ａ〜３３６ｃを締めつけたり緩めたりすることを容易に行うことができる。また、左壁３３３を上ケース体３１０の左側端部に位置させ、右壁３３４を上ケース体３１０の右側端部に位置させているため、各種部品を収容するための収容室の入口を大きくとることができる。これにより、ガスメータの整備を容易に行うことができる。
【００４６】
本考案のいくつかの実施の形態を説明したが、本考案の範囲は、上述の実施の形態に限定するものではなく、実用新案登録請求の範囲に記載された考案の範囲とその均等の範囲を含む。
【符号の説明】
【００４７】
１    ガスメータ
１０    上ケース体
１１    収容室
１２    流入口
１３    排出口
１７、１８、１９    ねじ穴
２０    下ケース体
２３ａ〜２３ｆ    ねじ穴
３１    取付面（当接面）
３３    左壁
３４    右壁
３５ａ〜３５ｆ    ねじ挿通孔
３６ａ〜３６ｆ    ねじ（締結手段）
４０    前面カバー（カバー体）
６０    基板
６１    液晶パネル
７２    工具
【図１】
0003211934.tif 000003
【図２】
0003211934.tif 000004
【図３】
0003211934.tif 000005
【図４】
0003211934.tif 000006
【図５】
0003211934.tif 000007
【図６】
0003211934.tif 000008
【図７】
0003211934.tif 000009
【図８】
0003211934.tif 000010
【図９】
0003211934.tif 000011